(57)【要約】【課題】本発明の態様は、各種の衛生機器に対応することができ、予め工場などにおいて組み立てておくことができ、搬送性にも優れた配管ユニット、衛生機器ユニット、および、衛生機器ユニットの施工方法を提供する。【解決手段】複数の衛生機器を有する衛生機器ユニットに設けられる配管ユニットであって、複数のコアユニットと、前記複数のコアユニット同士を連結する複数の連結部と、前記複数のコアユニットの設置側とは反対側に設けられた配管と、を備えている配管ユニットが提供される。この配管ユニットにおいては、前記複数のコアユニットの数は、前記複数の衛生機器の数と同じとされている。また、各前記衛生機器の前面側から見て、各前記コアユニットの幅方向の中心位置と、前記各衛生機器の幅方向の中心位置と、が重なるように、前記各コアユニットの位置が設定されている。【選択図】図１
2014070345.tif 000002
【特許請求の範囲】
【請求項１】
複数の衛生機器を有する衛生機器ユニットに設けられる配管ユニットであって、
複数のコアユニットと、
前記複数のコアユニット同士を連結する複数の連結部と、
前記複数のコアユニットの設置側とは反対側に設けられた配管と、
を備え、
前記複数のコアユニットの数は、前記複数の衛生機器の数と同じとされ、
各前記衛生機器の前面側から見て、各前記コアユニットの幅方向の中心位置と、前記各衛生機器の幅方向の中心位置と、が重なるように、前記各コアユニットの位置が設定されている配管ユニット。
【請求項２】
前記コアユニットは、
互いに平行となるようにして設けられた２つの第１のフレームと、
前記第１のフレームと直交して設けられた２つの第２のフレームと、
を有する枠状の形態を有し、
前記第１のフレームと、前記第２のフレームと、の接合部分には、前記第１のフレームの長手方向に貫通し、前記連結部が挿入される孔が設けられている請求項１記載の配管ユニット。
【請求項３】
前記各コアユニットの幅方向の中心位置には、孔が設けられている請求項１または２に記載の配管ユニット。
【請求項４】
前記コアユニットの床面側の端部、および床面側に設けられる前記連結部の少なくともいずれかを支持する保持部をさらに備えた請求項１〜３のいずれか１つに記載の配管ユニット。
【請求項５】
前記配管を保持するブラケットをさらに備え、
前記ブラケットは、前記配管の直径寸法に応じて前記配管の中心位置が一定となるように、前記コアユニットと前記ブラケットとの相対的な位置を変化させるための複数の取付穴を有した請求項１〜４のいずれか１つに記載の配管ユニット。
【請求項６】
前記コアユニットの床面側の端部に設けられ、搬送時に配管ユニットを自立させる搬送用スタンドをさらに備えた請求項１〜５のいずれか１つに記載の配管ユニット。
【請求項７】
請求項１〜６のいずれか１つに記載の配管ユニットと、
前記配管ユニットの前面側、および天井側を覆うように設けられたケーシングと、
前記ケーシングの前面側に設けられた衛生機器と、
を備えた衛生機器ユニット。
【請求項８】
前記ケーシングは、前記配管ユニットに設けられた複数のコアユニット毎に設けられた請求項７記載の衛生機器ユニット。
【請求項９】
前記衛生機器は、前記複数のコアユニット毎に設けられた請求項７または８に記載の衛生機器ユニット。
【請求項１０】
各前記衛生機器の幅方向の中心位置は、前記各衛生機器の前面側から見て、各前記コアユニットの幅方向の中心位置と重なっている請求項７〜９のいずれか１つに記載の衛生機器ユニット。
【請求項１１】
請求項１〜６のいずれか１つに記載の配管ユニットを組み立てる工程と、
前記組み立てられた配管ユニットを設置する工程と、
前記配管ユニットの前面側、および天井側を覆うようにケーシングを設置する工程と、
前記ケーシングの前面側に衛生機器を設置する工程と、
を備えた衛生機器ユニットの施工方法。
【請求項１２】
前記配管ユニットの前面側、および天井側を覆うようにケーシングを設置する工程において、
前記ケーシングは、前記配管ユニットに設けられた複数のコアユニット毎に設けられ、
各前記ケーシングは、前記各ケーシングの前面側から見て、前記各ケーシングの幅方向の中心位置が、各前記コアユニットの幅方向の中心位置と重なるように設置される請求項１１記載の衛生機器ユニットの施工方法。
【請求項１３】
前記ケーシングの前面側に衛生機器を設置する工程において、
前記衛生機器は、前記複数のコアユニット毎に設けられ、
各前記衛生機器は、前記各衛生機器の前面側から見て、前記各衛生機器の幅方向の中心位置が、各前記コアユニットの幅方向の中心位置と重なるように設置される請求項１１または１２に記載の衛生機器ユニットの施工方法。
【発明の詳細な説明】
【技術分野】
【０００１】
本発明の態様は、配管ユニット、衛生機器ユニット、および、衛生機器ユニットの施工方法に関する。
【背景技術】
【０００２】
トイレルームなどに大便器、小便器、洗面器などの衛生機器を設置する際には、配管ユニットに設けられた給水管、排水管、通気管などの各種配管と、衛生機器とが接続される。  従来、配管ユニットは、外観形状が直方体の構造体を有し、その内部に各種配管を設けていた（例えば、特許文献１の第５図）。また、複数の支柱と、複数の支柱同士を連結する連結材と、複数の支柱から張り出した腕部とからなる構造体を有し、その内部に各種配管を設けていた（例えば、特許文献２の図１）。  
この様な立体形状を有する構造体に予め各種配管を取り付け、各種配管が取り付けられた構造体をトイレルームなどに設置することもできる。しかしながら、各種配管が取り付けられた構造体は、重量と体積が大きくなる。そのため、搬送コストが高くなったり、搬送が困難になったりしていた。
【０００３】
そこで、トイレルームなどの壁面にブラケットを取り付け、ブラケットに各種配管を取り付ける技術が提案されている（例えば、特許文献１の第１図を参照）。また、トイレルームなどの壁面に支柱（ピラー）を取り付け、支柱にブラケットを取り付け、ブラケットに各種配管を取り付ける技術が提案されている（例えば、特許文献１の第３図を参照）。この様にすれば、各種配管を取り付けるための部材の重量と体積を小さくすることができるので、搬送コストの低減や、搬送の容易化を図ることができる。  
しかしながら、各種配管を取り付けるための部材の設置や、各種配管の取付は、設置現場で行うことになる。そのため、経費の増大や工期の長期化を招くおそれがある。
【０００４】
そのため、枠状の配管フレームに各種配管を取り付ける技術が提案されている（例えば、特許文献３の図２を参照）。  
枠状の配管フレームと、各種配管とを有する配管ユニットとすれば、重量と体積を小さくすることができるので、搬送コストの低減や、搬送の容易化を図ることができる。またさらに、予め工場などにおいて配管ユニットを組み立てておくことができるので、経費の節減や工期の短縮化を図ることができる。
【０００５】
しかしながら、特許文献３に開示されている配管ユニットは、衛生機器を取り付けるケーシングと一体化されるようになっている（特許文献３の図１４〜図１６を参照）。そのため、衛生機器の種類に応じて専用の配管ユニットが必要となる。また、複数の衛生機器を並べて設置する場合には、配管ユニットに取り付けられた配管同士を接続する箇所が多くなる。  
そのため、各種の衛生機器に対応することができ（配管ユニットのプラットフォーム化）、予め工場などにおいて組み立てておくことができ（配管ユニットのモジュール化）、搬送性にも優れた配管ユニットの開発が望まれていた。
【先行技術文献】
【特許文献】
【０００６】
【特許文献１】実用新案登録第２５７６９９６号公報
【特許文献２】特許第３０００２５６号公報
【特許文献３】特許第３７５７５５３号公報
【発明の概要】
【発明が解決しようとする課題】
【０００７】
本発明の態様は、かかる課題の認識に基づいてなされたものであり、各種の衛生機器に対応することができ、予め工場などにおいて組み立てておくことができ、搬送性にも優れた配管ユニット、衛生機器ユニット、および、衛生機器ユニットの施工方法を提供する。
【課題を解決するための手段】
【０００８】
第１の発明は、複数の衛生機器を有する衛生機器ユニットに設けられる配管ユニットであって、複数のコアユニットと、前記複数のコアユニット同士を連結する複数の連結部と、前記複数のコアユニットの設置側とは反対側に設けられた配管と、を備えている配管ユニットである。この配管ユニットにおいては、前記複数のコアユニットの数は、前記複数の衛生機器の数と同じとされている。また、各前記衛生機器の前面側から見て、各前記コアユニットの幅方向の中心位置と、前記各衛生機器の幅方向の中心位置と、が重なるように、前記各コアユニットの位置が設定されている。  
この配管ユニットによれば、各種の衛生機器に対応することができ、予め工場などにおいて組み立てておくことができ、搬送性にも優れた配管ユニットを実現できる。
【０００９】
第２の発明は、第１の発明において、前記コアユニットは、互いに平行となるようにして設けられた２つの第１のフレームと、前記第１のフレームと直交して設けられた２つの第２のフレームと、を有する枠状の形態を有し、前記第１のフレームと、前記第２のフレームと、の接合部分には、前記第１のフレームの長手方向に貫通し、前記連結部が挿入される孔が設けられている配管ユニットである。  
この配管ユニットによれば、各コアユニットの位置の設定が容易となる。
【００１０】
第３の発明は、第１または第２の発明において、前記各コアユニットの幅方向の中心位置には、孔が設けられている配管ユニットである。  
この配管ユニットによれば、各コアユニットの幅方向の中心位置に設けられた孔を目安にケーシングや衛生機器を取りつけることができる。そのため、衛生機器ユニットの設置が容易となる。
【００１１】
第４の発明は、第１〜第３のいずれか１つの発明において、前記コアユニットの床面側の端部、および床面側に設けられる前記連結部の少なくともいずれかを支持する保持部をさらに備えた配管ユニットである。  
この配管ユニットによれば、床面側の設置作業の作業性を向上させることができる。
【００１２】
第５の発明は、第１〜第４のいずれか１つの発明において、前記配管を保持するブラケットをさらに備え、前記ブラケットは、前記配管の直径寸法に応じて前記配管の中心位置が一定となるように、前記コアユニットと前記ブラケットとの相対的な位置を変化させるための複数の取付穴を有した配管ユニットである。  
この配管ユニットによれば、配管の直径寸法が変化したとしても配管の中心位置をほぼ一定とすることができるので、トイレルーム側の配管との接続が容易となる。
【００１３】
第６の発明は、第１〜第５のいずれか１つの発明において、前記コアユニットの床面側の端部に設けられ、搬送時に配管ユニットを自立させる搬送用スタンドをさらに備えた配管ユニットである。  
この配管ユニットによれば、搬送時に配管ユニットを自立させることができるので、配管ユニットの搬送性をさらに向上させることができる。
【００１４】
第７の発明は、第１〜第６のいずれか１つの発明に係る配管ユニットと、前記配管ユニットの前面側、および天井側を覆うように設けられたケーシングと、前記ケーシングの前面側に設けられた衛生機器と、を備えた衛生機器ユニットである。  
この衛生機器ユニットによれば、各種の衛生機器に対応することができ、予め工場などにおいて組み立てておくことができ、搬送性にも優れた衛生機器ユニットを実現できる。
【００１５】
第８の発明は、第７の発明において、前記ケーシングは、前記配管ユニットに設けられた複数のコアユニット毎に設けられた衛生機器ユニットである。  
この衛生機器ユニットによれば、各種の衛生機器に対応することができ、予め工場などにおいて組み立てておくことができ、搬送性にも優れた衛生機器ユニットを実現できる。
【００１６】
第９の発明は、第７または第８の発明において、前記衛生機器は、前記複数のコアユニット毎に設けられた衛生機器ユニットである。  
この衛生機器ユニットによれば、各種の衛生機器に対応することができ、予め工場などにおいて組み立てておくことができ、搬送性にも優れた衛生機器ユニットを実現できる。
【００１７】
第１０の発明は、第７〜第９のいずれか１つの発明において、各前記衛生機器の幅方向の中心位置は、前記各衛生機器の前面側から見て、各前記コアユニットの幅方向の中心位置と重なっている衛生機器ユニットである。  
この衛生機器ユニットによれば、衛生機器ユニットの設置が容易となる。
【００１８】
第１１の発明は、第１〜第６のいずれか１つの発明に係る配管ユニットを組み立てる工程と、前記組み立てられた配管ユニットを設置する工程と、前記配管ユニットの前面側、および天井側を覆うようにケーシングを設置する工程と、前記ケーシングの前面側に衛生機器を設置する工程と、を備えた衛生機器ユニットの施工方法である。  
この衛生機器ユニットの施工方法によれば、各種の衛生機器に対応することができ、予め工場などにおいて組み立てておくことができ、搬送性にも優れた衛生機器ユニットの施工方法を実現できる。
【００１９】
第１２の発明は、第１１の発明において、前記配管ユニットの前面側、および天井側を覆うようにケーシングを設置する工程において、前記ケーシングは、前記配管ユニットに設けられた複数のコアユニット毎に設けられ、各前記ケーシングは、前記各ケーシングの前面側から見て、前記各ケーシングの幅方向の中心位置が、各前記コアユニットの幅方向の中心位置と重なるように設置される衛生機器ユニットの施工方法である。  
この衛生機器ユニットの施工方法によれば、ケーシングの設置が容易となる。
【００２０】
第１３の発明は、第１１または第１２の発明において、前記ケーシングの前面側に衛生機器を設置する工程において、前記衛生機器は、前記複数のコアユニット毎に設けられ、各前記衛生機器は、前記各衛生機器の前面側から見て、前記各衛生機器の幅方向の中心位置が、各前記コアユニットの幅方向の中心位置と重なるように設置される衛生機器ユニットの施工方法である。  
この衛生機器ユニットの施工方法によれば、衛生機器の設置が容易となる。
【発明の効果】
【００２１】
本発明の態様によれば、各種の衛生機器に対応することができ、予め工場などにおいて組み立てておくことができ、搬送性にも優れた配管ユニット、衛生機器ユニット、および、衛生機器ユニットの施工方法を提供することができる。
【図面の簡単な説明】
【００２２】
【図１】（ａ）、（ｂ）は、本発明の実施の形態に係る衛生機器ユニットを例示するための模式図である。
【図２】大便器２ａ用のケーシング３ａを例示するための模式図である。
【図３】小便器２ｂ用のケーシング３ｂを例示するための模式図である。
【図４】洗面器２ｃ用のケーシング３ｃを例示するための模式図である。
【図５】配管ユニット４を例示するための模式図である。
【図６】（ａ）、（ｂ）は、コアユニット４０を例示するための模式図である。
【図７】（ａ）〜（ｄ）は、ブラケット４２ｄ１、４２ｄ３を例示するための模式図である。
【図８】保持部４３を例示するための模式図である。
【図９】衛生機器ユニットの施工方法について例示するためのフローチャートである。
【発明を実施するための形態】
【００２３】
以下、図面を参照しつつ、本発明の実施の形態について例示をする。尚、各図面中、同様の構成要素には同一の符号を付して詳細な説明は適宜省略する。  
図１は、本発明の実施の形態に係る衛生機器ユニットを例示するための模式図である。  なお、図１（ａ）は、平面図、図１（ｂ）は正面図である。  
図１（ａ）、（ｂ）に示すように、衛生機器ユニット１には、衛生機器２、ケーシング３、配管ユニット４、間仕切り用パネル（パーテーション）５が設けられている。
【００２４】
衛生機器２は、ケーシング３の前面側に設けられている。  
衛生機器２は、配管ユニット４に設けられた複数のコアユニット４０毎に設けられている。  
衛生機器２は、例えば、大便器（腰掛便器）２ａ、小便器２ｂ、洗面器２ｃなどである。ただし、衛生機器２は、例示をしたものに限定されるわけではなく適宜変更することができる。  
また、図１（ａ）、（ｂ）においては、一例として、大便器２ａ、小便器２ｂ、洗面器２ｃが１つずつ設けられる場合を例示したがこれに限定されるわけではない。衛生機器２の種類、数、配置などは適宜変更することができる。  
なお、大便器２ａ、小便器２ｂ、洗面器２ｃには、既知の技術を適用することができるので詳細な説明は省略する。
【００２５】
間仕切り用パネル５は、各衛生機器２の間を仕切るために設けられている。間仕切り用パネル５は、板状を呈し、大きさや形状は衛生機器２の種類などに応じて適宜変更することができる。間仕切り用パネル５は、必ずしも必要ではなく、必要に応じて設けることができる。また、間仕切り用パネル５のみならず、扉などを設けて各衛生機器２が仕切られた空間（個室）に設けられるようにすることもできる。
【００２６】
ケーシング３は、配管ユニット４の前面側、および天井側を覆うように設けられている。  ケーシング３は、配管ユニット４に設けられた複数のコアユニット４０毎に設けられている。  
ケーシング３には、大便器２ａ用のケーシング３ａ、小便器２ｂ用のケーシング３ｂ、洗面器２ｃ用のケーシング３ｃがある。すなわち、各衛生機器２の大きさや設置高さなどは様々であるので、各衛生機器２毎に専用のケーシング３が設けられている。ただし、必ずしもすべての衛生機器２毎に専用のケーシング３が必要となるわけではない。異なる種類の衛生機器２（例えば、大便器２ａと小便器２ｂなど）のケーシング３を共通化することもできる。
【００２７】
図２は、大便器２ａ用のケーシング３ａを例示するための模式図である。  
なお、図２は、図１（ｂ）におけるＡ−Ａ矢視断面図である。  
図２に示すように、ケーシング３ａには、支持フレーム３０ａ、天井板３１ａ、前面板３２ａ、取り付けフレーム３３ａが設けられている。
【００２８】
支持フレーム３０ａは、アングル材などを用いてＬ字状に形成されている。支持フレーム３０ａは、複数設けられている。複数の支持フレーム３０ａは、ケーシング３ａの幅方向に並べて設けられている。支持フレーム３０ａの壁面側の端部と、床面側の端部にはアジャストボルト３０ａ１が設けられている。そのため、壁面や床面に凹みやうねりがあったとしても、壁面や床面に対する支持フレーム３０ａの位置を調整することができる。なお、壁面や床面への支持フレーム３０ａの固定は、図示しないアンカーボルトなどを用いて行うことができる。
【００２９】
支持フレーム３０ａは、配管ユニット４と別体に設けられている。すなわち、支持フレーム３０ａは、配管ユニット４と分離可能となっており、別々に搬送することができる。また、支持フレーム３０ａに天井板３１ａ、前面板３２ａを取り付け、配管ユニット４に各種配管を取り付けるという機能分離を図ることができる。そのため、配管ユニット４を立体形状を有する構造体とする必要がなくなるので、配管ユニット４の重量と体積を小さくすることができる。
【００３０】
取り付けフレーム３３ａは、支持フレーム３０ａの前面側に固定されている。取り付けフレーム３３ａは、ケーシング３ａの幅方向に伸びている。取り付けフレーム３３ａは、支持フレーム３０ａとともに構造体を形成する。  
なお、取り付けフレーム３３ａは、適宜な長さにして、複数の支持フレーム３０ａ毎に設けられるようにすることもできる。
【００３１】
天井板３１ａは、板状を呈し、支持フレーム３０ａの天井側に固定されている。天井板３１ａは、例えば、支持フレーム３０ａの天井側にネジ止めすることができる。  
前面板３２ａは、板状を呈し、取り付けフレーム３３ａに固定されている。前面板３２ａは、例えば、裏面に取り付けられた引っ掛け具を取り付けフレーム３３ａに引っ掛けて取付けてもよく、また、取り付けフレーム３３ａにネジ止めして取付けてもよい。前面板３２ａには、大便器２ａが固定される。
【００３２】
図３は、小便器２ｂ用のケーシング３ｂを例示するための模式図である。  
なお、図３は、図１（ｂ）におけるＢ−Ｂ矢視断面図である。  
図３に示すように、ケーシング３ｂには、支持フレーム３０ｂ、天井板３１ｂ、前面板３２ｂ、取り付けフレーム３３ｂが設けられている。
【００３３】
支持フレーム３０ｂは、アングル材などを用いてＬ字状に形成されている。支持フレーム３０ｂは、複数設けられている。複数の支持フレーム３０ｂは、ケーシング３ｂの幅方向に並べて設けられている。支持フレーム３０ｂの壁面側の端部と、床面側の端部にはアジャストボルト３０ｂ１が設けられている。そのため、壁面や床面に凹みやうねりがあったとしても、壁面や床面に対する支持フレーム３０ｂの位置を調整することができる。なお、壁面や床面への支持フレーム３０ｂの固定は、図示しないアンカーボルトなどを用いて行うことができる。
【００３４】
支持フレーム３０ｂは、配管ユニット４と別体に設けられている。すなわち、支持フレーム３０ｂは、配管ユニット４と分離可能となっており、別々に搬送することができる。また、支持フレーム３０ｂに天井板３１ｂ、前面板３２ｂを取り付け、配管ユニット４に各種配管を取り付けるという機能分離を図ることができる。そのため、配管ユニット４を立体形状を有する構造体とする必要がなくなるので、配管ユニット４の重量と体積を小さくすることができる。
【００３５】
取り付けフレーム３３ｂは、支持フレーム３０ｂの前面側に固定されている。取り付けフレーム３３ｂは、ケーシング３ｂの幅方向に伸びている。取り付けフレーム３３ｂは、支持フレーム３０ｂとともに構造体を形成する。  
なお、取り付けフレーム３３ｂは、適宜な長さにして、複数の支持フレーム３０ｂ毎に設けられるようにすることもできる。
【００３６】
天井板３１ｂは、板状を呈し、支持フレーム３０ｂの天井側に固定されている。天井板３１ｂは、例えば、支持フレーム３０ｂの天井側にネジ止めすることができる。  
前面板３２ｂは、板状を呈し、取り付けフレーム３３ｂに固定されている。前面板３２ｂは、例えば、裏面に取り付けられた引っ掛け具を取り付けフレーム３３ｂに引っ掛けて取付けてもよく、また、取り付けフレーム３３ｂにネジ止めして取付けてもよい。前面板３２ｂには、小便器２ｂが固定される。
【００３７】
図４は、洗面器２ｃ用のケーシング３ｃを例示するための模式図である。  
なお、図４は、図１（ｂ）におけるＣ−Ｃ矢視断面図である。  
図４に示すように、ケーシング３ｃには、支持フレーム３０ｃ、天井板３１ｃ、前面板３２ｃ、取り付けフレーム３３ｃが設けられている。
【００３８】
支持フレーム３０ｃは、アングル材などを用いてＬ字状に形成されている。支持フレーム３０ｃは、複数設けられている。複数の支持フレーム３０ｃは、ケーシング３ｃの幅方向に並べて設けられている。支持フレーム３０ｃの壁面側の端部と、床面側の端部にはアジャストボルト３０ｃ１が設けられている。そのため、壁面や床面に凹みやうねりがあったとしても、壁面や床面に対する支持フレーム３０ｃの位置を調整することができる。なお、壁面や床面への支持フレーム３０ｃの固定は、図示しないアンカーボルトなどを用いて行うことができる。
【００３９】
支持フレーム３０ｃは、配管ユニット４と別体に設けられている。すなわち、支持フレーム３０ｃは、配管ユニット４と分離可能となっており、別々に搬送することができる。また、支持フレーム３０ｃに天井板３１ｃ、前面板３２ｃを取り付け、配管ユニット４に各種配管を取り付けるという機能分離を図ることができる。そのため、配管ユニット４を立体形状を有する構造体とする必要がなくなるので、配管ユニット４の重量と体積を小さくすることができる。
【００４０】
この場合、前述した大便器２ａ用の支持フレーム３０ａや、小便器２ｂ用の支持フレーム３０ｂと比べて、洗面器２ｃ用の支持フレーム３０ｃの高さ寸法は低くなる。そのため、支持フレーム３０ｃの壁面側の端部を配管ユニット４のコアユニット４０にネジ止めすることもできる。
【００４１】
取り付けフレーム３３ｃは、支持フレーム３０ｃの前面側に固定されている。取り付けフレーム３３ｃは、ケーシング３ｃの幅方向に伸びている。取り付けフレーム３３ｃは、支持フレーム３０ｃとともに構造体を形成する。  
なお、取り付けフレーム３３ｃは、適宜な長さにして、複数の支持フレーム３０ｃ毎に設けられるようにすることもできる。
【００４２】
天井板３１ｃは、板状を呈し、前面側が床面側に向かって折れ曲がっている。天井板３１ｃには、洗面器２ｃが固定される。そして、洗面器２ｃが固定された天井板３１ｃは、支持フレーム３０ｃの天井側に固定されている。天井板３１ｃは、例えば、支持フレーム３０ｃの天井側にネジ止めすることができる。  
前面板３２ｃは、板状を呈し、取り付けフレーム３３ｃに固定されている。前面板３２ｃは、例えば、裏面に取り付けられた引っ掛け具を取り付けフレーム３３ｃに引っ掛けて取付けてもよく、また、取り付けフレーム３３ｃにネジ止めして取付けてもよい。
【００４３】
図５は、配管ユニット４を例示するための模式図である。  
図６は、コアユニット４０を例示するための模式図である。  
なお、図６（ａ）はコアユニット４０の正面図、図６（ｂ）は図６（ａ）におけるＤ−Ｄ矢視図である。
【００４４】
図５に示すように、配管ユニット４には、コアユニット４０、連結部４１、配管部４２、保持部４３、搬送用スタンド４４が設けられている。  
コアユニット４０は、複数設けられ、連結部４１により連結されている。この場合、コアユニット４０の数は、衛生機器２の数と同じにすることができる。図１に例示をした衛生機器ユニット１には、大便器２ａ、小便器２ｂ、洗面器２ｃが１つずつ設けられているので、配管ユニット４には３つのコアユニット４０が設けられている。
【００４５】
そして、衛生機器ユニット１の設置時に、各コアユニット４０の幅方向の中心位置と、各ケーシング３の幅方向の中心位置や各衛生機器２の幅方向の中心位置とが重なるようになっている。  
すなわち、各衛生機器２の前面側から見て、各コアユニット４０の幅方向の中心位置と、各ケーシング３の幅方向の中心位置や各衛生機器２の幅方向の中心位置とが重なるように、各コアユニット４０の位置が設定されている。
【００４６】
コアユニット４０の幅方向の中心位置には、孔４０ａ１が設けられている。孔４０ａ１は、配管ユニット４を設置する際に仮止め用の孔として用いられる他、コアユニット４０の幅方向の中心位置を表す目印ともなる。
【００４７】
衛生機器ユニット１の施工の際には、トイレルームなどに配管ユニット４を設置し、各ケーシング３や各衛生機器２の中心位置が各コアユニット４０の中心位置と重なる位置に、各ケーシング３や各衛生機器２を取り付けるようにする。この際、孔４０ａ１を目安に各ケーシング３や各衛生機器２を取り付けることができる。そのため、施工工期の短縮や経費の節減などを図ることができる。
【００４８】
図６（ａ）、（ｂ）に示すように、コアユニット４０は、第１のフレーム４０ａと、第２のフレーム４０ｂとを有し、枠状の形態をしている。  
第１のフレーム４０ａは、互いに平行となるようにして２つ設けられている。配管ユニット４を設置する際には、一方の第１のフレーム４０ａが床面に面する位置に設けられる。  第１のフレーム４０ａは、例えば、断面形状がＬ字型の板状体とすることができる。  第１のフレーム４０ａには、前述した孔４０ａ１、アンカーボルトによる固定に用いる孔４０ａ２、壁面に固定する際に用いられるアジャストボルト用のネジ穴４０ａ３、第２のフレーム４０ｂをネジ止めする際に用いる孔４０ａ４などが設けられている。
【００４９】
第２のフレーム４０ｂは、第１のフレーム４０ａと直交して設けられている。また、第２のフレーム４０ｂは、互いに平行となるようにして２つ設けられている。  
第２のフレーム４０ｂは、例えば、断面形状が「コ」の字状の柱状体とすることができる。  
第２のフレーム４０ｂの側面には、配管を保持するブラケット４２ｄ１〜４２ｄ３を取り付けるためのネジ穴４０ｂ１などが設けられている。
【００５０】
第１のフレーム４０ａと第２のフレーム４０ｂとは、ネジ止めされている。また、第１のフレーム４０ａと第２のフレーム４０ｂとをネジ止めした際に、連結部４１を挿入するための孔４０ｃが形成されるようになっている。孔４０ｃは、第１のフレーム４０ａ長手方向に伸び、コアユニット４０の側面に開口している。  
すなわち、第１のフレーム４０ａと、第２のフレーム４０ｂと、の接合部分には、第１のフレーム４０ａの長手方向に貫通し、連結部４１が挿入される孔４０ｃが設けられている。
【００５１】
連結部４１は、コアユニット４０同士を連結する。連結部４１は、断面形状が矩形の筒状体（例えば、角パイプ）とすることができる。連結部４１は、コアユニット４０の側面に開口している孔４０ｃの内部に挿入され、第１のフレーム４０ａとネジ止めされている。  第１のフレーム４０ａとネジ止めされる前には、連結部４１は、孔４０ｃの内部を第１のフレーム４０ａ長手方向に移動することができる。  
そのため、トイレルームなどのスペースにあわせて、コアユニット４０間の寸法を変更することができる。  
すなわち、部材などの交換をしなくても、コアユニット４０間の寸法が所望のものとなるようにすることができる。
【００５２】
配管部４２には、配管４２ａ〜４２ｃ、ブラケット４２ｄ１〜４２ｄ３、保持部材４２ｅ１〜４２ｅ３などが設けられている。  
配管４２ａ〜４２ｃは、複数のコアユニット４０の設置側とは反対側（前面側）に設けられている。  
配管４２ａは、例えば、汚水管（配管４２ｃ）における逆流を防止するために設けられる通気管とすることができる。  
配管４２ｂは、大便器２ａ、小便器２ｂ、洗面器２ｃなどに洗浄水を供給する給水管とすることができる。  
配管４２ｃは、大便器２ａ、小便器２ｂ、洗面器２ｃなどからの汚水を排水する排水管とすることができる。
【００５３】
なお、配管４２ａ〜４２ｃを例示したが、これらに限定されるわけではない。例えば、臭気を換気するための脱臭管、大便器２ａと小便器２ｂに洗浄水を供給する中水管、洗面器２ｃに洗浄水を供給する上水管、洗面器２ｃに湯を供給する給湯管や余剰湯を戻す返湯管、洗面器２ｃからの水を排水する雑排水管などを設けることもできる。
【００５４】
図７は、一例として、ブラケット４２ｄ１、４２ｄ３を例示するための模式図である。  なお、図７（ａ）はブラケット４２ｄ１の模式斜視図、図７（ｂ）は直径寸法の小さな配管４２ａ１を保持した場合を例示するための模式図、図７（ｃ）は直径寸法の大きな配管４２ａ２を保持した場合を例示するための模式図、図７（ｄ）はブラケット４２ｄ３により配管４２ｃを保持した状態を例示するための模式図である。
【００５５】
図７（ａ）に示すように、ブラケット４２ｄ１は、断面形状がＬ字状の板状体とすることができる。ブラケット４２ｄ１の一方の面４２ｄ１ａには、直径寸法の小さな配管４２ａ１を保持する際に用いる孔４２ｄ１ｂ、直径寸法の大きな配管４２ａ２を保持する際に用いる孔４２ｄ１ｃが設けられている。  
ブラケット４２ｄ１の他方の面４２ｄ１ｄには、直径寸法の小さな配管４２ａ１を保持する際に用いる取りつけ孔４２ｄ１ｅ、直径寸法の大きな配管４２ａ２を保持する際に用いる取りつけ孔４２ｄ１ｆが設けられている。
【００５６】
ここで、衛生機器２の数が多くなると直径寸法の大きな配管４２ａ２を設ける必要が生じる。ところが、配管４２ａ２の直径寸法が変わると、コアユニット４０から配管４２ａ２の中心までの寸法、ひいては壁面から配管４２ａ２の中心までの寸法が変わることになる。この場合、配管４２ａ２の直径寸法が変わっても、コアユニット４０から配管４２ａ２の中心までの寸法がほぼ一定であれば、トイレルーム側の配管との接続が容易となる。
【００５７】
そのため、コアユニット４０から配管４２ａ２の中心までの寸法をほぼ一定にするために、取りつけ孔４２ｄ１ｅ、４２ｄ１ｆを設けている。  
例えば、図７（ｂ）に示すように、直径寸法の小さな配管４２ａ１を保持する際には、取りつけ孔４２ｄ１ｅを用いるようにする。  
また、例えば、図７（ｃ）に示すように、直径寸法の大きな配管４２ａ２を保持する際には、取りつけ孔４２ｄ１ｆを用いるようにする。
【００５８】
なお、ブラケット４２ｄ２も同様とすることができる。  
すなわち、ブラケット４２ｄ１、４２ｄ２は、配管４２ａ、４２ｂの直径寸法に応じて配管４２ａ、４２ｂの中心位置が一定となるように、コアユニット４０とブラケット４２ｄ１、４２ｄ２との相対的な位置を変化させるための複数の取付穴を有している。
【００５９】
保持部材４２ｅ１、４２ｅ２は、配管４２ａ、４２ｂをブラケット４２ｄ１、４２ｄ２に固定する。保持部材４２ｅ１、４２ｅ２は、例えば、Ｕボルトやサドルなどとすることができる。
【００６０】
図７（ｄ）に示すように、ブラケット４２ｄ３は、外観形状がＬ字状の板状体とすることができる。  
ブラケット４２ｄ３は、排水勾配に対応するために床面からの高さ位置を変えて排水用の配管４２ｃを保持する必要がある。そこで、ブラケット４２ｄ３の一方の面には、コアユニット４０に設けられたネジ穴に対応する長孔４２ｄ４が設けられている。そして、長穴４２ｄ４を用いてブラケット４２ｄ３を取り付けることで、配管４２ｃの床面からの高さ位置が調整できるようになっている。
また、搬送時の振動により、ブラケット４２ｄ３の取り付け位置が下側にずれてしまう場合がある。そこで、ブラケット４２ｄ３には、コアユニット４０の前面側に折り曲げられ、コアユニット４０の前面と接する折り曲げ部４２ｄ５が設けられている。折り曲げ部４２ｄ５を設けるようにすれば、搬送時の振動によりブラケット４２ｄ３が下側にずれることを抑制することができる。
【００６１】
また、ブラケット４２ｄ３の他方の面には、後述する保持部材４２ｅ３を取り付けるための長穴４２ｄ６が設けられている。長穴４２ｄ６と保持部材４２ｅ３を用いて配管４２ｃを取り付けるようにすれば、配管４２ｃの直径寸法が変わった場合であっても、コアユニット４０から配管４２ｃの中心までの寸法、ひいては壁面から配管４２ｃの中心までの寸法がほぼ一定となるように調整することができる。
保持部材４２ｅ３は、配管４２ｃをブラケット４２ｄ３に固定する。保持部材４２ｅ３は、例えば、Ｕボルトやサドルなどとすることができる。
【００６２】
図８は、保持部４３を例示するための模式図である。  
保持部４３は、コアユニット４０の床面側の端部を支持する。  
保持部４３には、第１の保持体４３ａ、第２の保持体４３ｂが設けられている。  
第１の保持体４３ａ、第２の保持体４３ｂは、断面形状がＬ字状の板状体とすることができる。  
第１の保持体４３ａ、第２の保持体４３ｂは、孔４３ｃにアンカーボルトを挿入して床面に固定される。この際、第１の保持体４３ａは、第２の保持体４３ｂと重ねて固定される。また、第１の保持体４３ａの支持部分４３ａ１と、第２の保持体４３ｂの支持部分４３ｂ１との間の寸法が、コアユニット４０の厚み寸法と同じか、若干大きくなっている。そのため、第１の保持体４３ａと、第２の保持体４３ｂとにより、コアユニット４０の床面側の端部を挟み込むようにして支持することができる。
【００６３】
ここで、配管ユニット４は、コアユニット４０、連結部４１、配管部４２、搬送用スタンド４４などが予め取り付けられた状態で設置場所（例えば、トイレルームなど）に搬入され、壁面に取り付けられる。配管ユニット４には配管部４２などが取り付けられているため、配管ユニット４の床面側をアンカーボルトにより固定する際の作業性が悪くなるおそれがある。
【００６４】
この場合、孔４３ｃは、配管ユニット４から前面側に離れた位置にあるので、第１の保持体４３ａ、第２の保持体４３ｂをアンカーボルトにより固定する際の作業性を向上させることができる。
【００６５】
また、第１の保持体４３ａには、誘い込み部４３ａ２が設けられているので、第１の保持体４３ａの支持部分４３ａ１と、第２の保持体４３ｂの支持部分４３ｂ１との間にコアユニット４０を挿入する際の作業性を向上させることができる。なお、誘い込み部は、第２の保持体４３ｂに設けられていてもよいし、第１の保持体４３ａと第２の保持体４３ｂとに設けられていてもよい。  
なお、床面側の連結部４１を支持する保持部４３としてもよい。  
すなわち、保持部４３は、コアユニット４０の床面側の端部、および床面側に設けられる連結部４１の少なくともいずれかを支持するものであればよい。
【００６６】
ここで、外観形状が直方体の構造体からなる配管ユニットとすれば、搬送時に自立させることができる。しかしながら、配管ユニット４は、厚み寸法が小さいので、搬送時に自立させることが難しい。配管ユニット４を搬送時に自立させることができれば、搬送性を向上させることができる。
【００６７】
そのため、配管ユニット４の床面側の両端に搬送用スタンド４４を設けることで、搬送時に配管ユニット４が自立できるようにしている。  
搬送用スタンド４４は、コアユニット４０の床面側の端部に設けられ、搬送時に配管ユニット４を自立させる。  
搬送用スタンド４４は、断面形状がＬ字状の板状体とすることができる。  
搬送用スタンド４４は、コアユニット４０にネジ止めすることができる。
【００６８】
搬送時には、搬送用スタンド４４は床面などに接触している。ところが、配管ユニット４は、アジャストボルトを用いて床面から離れた位置に取りつけられる。そのため、配管ユニット４の設置後は、搬送用スタンド４４は床面から離れた状態となる。すなわち、搬送用スタンド４４は、主に搬送時に機能する。そのため、搬送用スタンド４４は、配管ユニット４の設置後は取り外すこともできるし、そのまま放置することもできる。
【００６９】
以上に説明したように、衛生機器２の数に応じた複数のコアユニット４０を連結部４１により連結し、コアユニット４０同士の間の寸法を変更することができるので、各種の衛生機器２に対応することができる。また、予め工場などにおいて、配管ユニット４を組み立てておくことができる。そのため、配管ユニット４のプラットフォーム化や、モジュール化を図ることができる。  
また、配管ユニット４の厚み寸法を小さくすることができるので、配管ユニット４の搬送性を向上させることができる。
【００７０】
次に、本発明の実施の形態に係る衛生機器ユニットの施工方法について例示をする。  
図９は、衛生機器ユニットの施工方法について例示するためのフローチャートである。  まず、配管ユニット４を組み立てる（ステップＳ１）。  
配管ユニット４は、予め工場などにおいて組み立てることができる。  
この際、衛生機器ユニット１の設置現場において、コアユニット４０の幅方向の中心位置と、各衛生機器２の幅方向の中心位置とが重なるように、各コアユニット４０の位置が設定される。各コアユニット４０の位置は、連結部４１の挿入量により調整することができる。また、ブラケット４２ｄ１〜４２ｄ３に設けられた取付穴を選択することで、配管の直径寸法に応じて配管の中心位置が一定となるように、コアユニット４０とブラケット４２ｄ１〜４２ｄ３との相対的な位置を変化させる。
【００７１】
次に、組み立てられた配管ユニット４を搬送する（ステップＳ２）。  
この際、搬送用スタンド４４により、配管ユニット４を自立させることができる。
【００７２】
次に、組み立てられた配管ユニット４を設置する（ステップＳ３）。  
この際、保持部４３により、コアユニット４０の床面側の端部、および床面側に設けられる連結部４１の少なくともいずれかを支持する。保持部４３に設けられた孔４３ｃは、配管ユニット４から前面側に離れた位置にあるので、第１の保持体４３ａ、第２の保持体４３ｂをアンカーボルトにより固定する際の作業性を向上させることができる。
【００７３】
次に、配管ユニット４の前面側、および天井側を覆うようにケーシング３を設置する（ステップＳ４）。  
この際、ケーシング３は、配管ユニット４に設けられた複数のコアユニット４０毎に設けられる。また、各ケーシング３は、各ケーシング３の前面側から見て、各ケーシング３の幅方向の中心位置が、各コアユニット４０の幅方向の中心位置と重なるように設置される。
【００７４】
次に、ケーシング３の前面側に衛生機器２を設置する（ステップＳ５）。  
この際、衛生機器２は、複数のコアユニット４０毎に設けられる。また、各衛生機器２は、各衛生機器２の前面側から見て、各衛生機器２の幅方向の中心位置が、各コアユニットの幅方向の中心位置と重なるように設置される。  
なお、各工程において用いられる要素や、内容は前述したものと同様とすることができるので詳細な説明は省略する。
【符号の説明】
【００７５】
１  衛生機器ユニット、２  衛生機器、２ａ  大便器、２ｂ  小便器、２ｃ  洗面器、３  ケーシング、４  配管ユニット、５  間仕切り用パネル、３０ａ  支持フレーム、３１ａ  天井板、３２ａ  前面板、３３ａ  取り付けフレーム、４０  コアユニット、４０ａ  第１のフレーム、４０ａ１  孔、４０ｂ  第２のフレーム、４１  連結部、４２  配管部、４２ａ〜４２ｃ  配管、４２ｄ１〜４２ｄ３  ブラケット、４２ｄ１ｅ  取り付け孔、４２ｄ１ｆ  取り付け孔、４３  保持部、４３ａ  第１の保持体、４３ｂ  第２の保持体、４４  搬送用スタンド
【図１】
2014070345.tif 000003
【図２】
2014070345.tif 000004
【図３】
2014070345.tif 000005
【図４】
2014070345.tif 000006
【図５】
2014070345.tif 000007
【図６】
2014070345.tif 000008
【図７】
2014070345.tif 000009
【図８】
2014070345.tif 000010
【図９】
2014070345.tif 000011